(57)【要約】反転されたＤＶＢ−ＡＳＩ信号を反転して、適合されたＤＶＢ−ＡＳＩ信号を生成する反転アダプタが開示される。この適合されたＤＶＢ−ＡＳＩ信号は、任意のＤＶＢ−ＡＳＩ装置により使用される場合がある。反転アダプタは、１つの小さなパッケージに含むことができ、反転されたＤＶＢ−ＡＳＩ信号を生成する各種増幅装置のいずれかに容易に接続することができる。代替的に、本発明の反転アダプタは、増幅装置により統合的に形成され、適合されたＤＶＢ−ＡＳＩ信号を自動的に供給する場合がある。
2004517533.tif 000002
【特許請求の範囲】
【請求項１】
反転されたデジタルビデオブロードキャスト−非同期シリアルインタフェース（ＤＶＢ−ＡＳＩ）信号と、
前記反転されたＤＶＢ−ＡＳＩ信号を反転するために適合される反転アダプタと、
を備える装置。
【請求項２】
前記反転アダプタは、前記反転されたＤＶＢ−ＡＳＩ信号に接続され、１次側と２次側とを有する変圧器を備える、
請求項１記載の装置。
【請求項３】
前記反転アダプタは、前記反転されたＤＶＢ−ＡＳＩ信号を反転して、適合されたＤＶＢ−ＡＳＩ信号を生成し、
前記適合されたＤＶＢ−ＡＳＩ信号は、レコーダ、モニタ、デコーダ、ネットワーク、送信機及び分配増幅器から本質的に構成されるグループから選択されるＤＶＢ−ＡＳＩ装置に接続される、
請求項１記載の装置。
【請求項４】
前記１次側及び前記２次側のそれぞれは極性を有し、
前記２次側の極性は、前記１次側の極性と反対であり、
前記反転アダプタは、前記反転されたＤＶＢ−ＡＳＩ信号を反転して、適合されたＤＶＢ−ＡＳＩ信号を生成する、
請求項２記載の装置。
【請求項５】
前記１次側及び前記２次側のそれぞれは、等しい数の巻線を備える、
請求項４記載の装置。
【請求項６】
前記反転アダプタは、ボディ、入力カップリング及び出力カップリングをさらに備え、
前記反転アダプタは前記ボディに含まれ、
前記ボディは前記入力カップリング及び前記出力カップリングに電気的及び機械的に結合される、
請求項５記載の装置。
【請求項７】
ルーティングスイッチャをさらに備え、
前記ルーティングスイッチャは、入力ＤＶＢ−ＡＳＩ信号に接続され、出力ＤＶＢ−ＡＳＩ信号と前記反転されたＤＶＢ−ＡＳＩ信号とを生成する、
請求項１記載の装置。
【請求項８】
シリアルデジタルビデオ（ＳＤＶ）信号を生成するＳＤＶソースをさらに備え、
前記ＳＤＶ信号は、ルーティングスイッチャに接続され、
前記ルーティングスイッチャは、出力ＳＤＶ信号と反転されたＳＤＶ信号とを生成する、
請求項７記載の装置。
【請求項９】
前記出力ＳＤＶ信号に接続され、入力ＤＶＢ−ＡＳＩ信号を生成するエンコーダをさらに備える、
請求項８記載の装置。
【請求項１０】
前記ルーティングスイッチャは、前記入力ＤＶＢ−ＡＳＩ信号に接続される入力と、真の出力と相補する出力とを有する差動増幅器を備え、
前記真の出力は、前記出力ＤＶＢ−ＡＳＩ信号であり、前記相補する出力は、前記反転されたＤＶＢ−ＡＳＩ信号である、
請求項７記載の装置。
【請求項１１】
前記ルーティングスイッチャは、前記反転アダプタを備える、
請求項１０記載の装置。
【請求項１２】
分配増幅器をさらに備え、
前記分配増幅器は、入力ＤＶＢ−ＡＳＩ信号に接続され、出力ＤＶＢ−ＡＳＩ信号と前記反転されたＤＶＢ−ＡＳＩ信号とを生成する、
請求項１記載の装置。
【請求項１３】
前記分配増幅器は前記反転アダプタを備える、
請求項１２記載の装置。
【請求項１４】
デジタルビデオブロードキャスト‐非同期シリアルインタフェース（ＤＶＢ−ＡＳＩ）出力信号を生成するＤＶＢ−ＡＳＩエンコーダと、
前記ＤＶＢ−ＡＳＩ信号を含む真の出力と、反転されたＤＶＢ−ＡＳＩ信号を含む相補する出力と、前記ＤＶＢ−ＡＳＩ信号に接続される入力とを有する増幅装置と、
前記反転されたＤＶＢ−ＡＳＩ信号に接続される１次側と、前記１次側の極性と反対の極性である２次側とを有する変圧器を備える反転アダプタとを備え、
前記１次側及び前記２次側のそれぞれは、等しい数の巻線を備え、
前記反転アダプタは、前記反転されたＤＶＢ−ＡＳＩ信号を反転して、適合されたＤＶＢ−ＡＳＩ信号を生成する、
システム。
【請求項１５】
前記増幅装置は、ルーティングスイッチ及び分配増幅器から本質的に構成されるグループから選択される、
請求項１４記載のシステム。
【請求項１６】
前記増幅装置は、前記反転アダプタを備える、
請求項１４記載のシステム。
【請求項１７】
前記適合されたＤＶＢ−ＡＳＩ信号は、レコーダ、モニタ、デコーダ、ネットワーク、送信機及び分配増幅器から本質的に構成されるグループから選択されたＤＶＢ−ＡＳＩ装置に接続される、
請求項１４記載のシステム。
【請求項１８】
前記増幅装置は、ルーティングスイッチを備え、
前記システムは、前記ルーティングスイッチに接続されるソースシリアルデジタルビデオ（ＳＤＶ）を生成するＳＤＶソースをさらに備え、
前記ルーティングスイッチは、ＳＤＶ信号及び反転されたＳＤＶ信号を生成し、前記ＳＤＶ信号は前記ＤＶＢ−ＡＳＩエンコーダに接続される、
請求項１４記載のシステム。
【請求項１９】
デジタルビデオブロードキャスト−非同期シリアルインタフェース（ＤＶＢ−ＡＳＩ）信号を反転するための反転アダプタであって、
前記反転アダプタは、
１次側と該１次側と等しい数の巻線を有する２次側とを有し、前記１次側と前記２次側のそれぞれが、１次側の負のコネクションと２次側の正のコネクションとがグランドに接続される正及び負のコネクションを有して、前記２次側の極性が前記１次側の極性とは逆である変圧器と、
前記変圧器を収容するボディと、
前記ボディに電気的及び機械的に結合され、グランドに電気的に接続される入力シェル及び入力相互接続装置を有し、ＤＶＢ−ＡＳＩ信号を受けるために適合される入力カップリングと、
前記ボディに電気的及び機械的に結合され、グランドに電気的に接続される出力シェル、及び出力相互接続装置を有する出力カップリングと、
を備える反転アダプタ。
【請求項２０】
前記入力相互接続装置は入力ピンを備え、前記出力相互接続装置は出力ソケットを備え、
前記入力ピンは、前記１次側の前記正のコネクションに接続され、前記出力ソケットは、前記２次側の前記負のコネクションに接続される、
請求項１９記載の反転アダプタ。
【請求項２１】
前記入力カップリングは、ｍａｌｅ Ｂｒｉｔｉｓｈ Ｎａｖａｌ Ｃｏｎｎｅｃｔｏｒ（ＢＮＣ）であり、前記出力カップリングは、ｆｅｍａｌｅ ＢＮＣである、
請求項２０記載の反転アダプタ。
【請求項２２】
デジタルビデオブロードキャスト−非同期シリアルインタフェース（ＤＶＢ−ＡＳＩ）信号を処理するデジタルビデオシステムであって、
反転されたＤＶＢ−ＡＳＩ信号を反転するために適合される反転アダプタを備える、
デジタルビデオシステム。
【請求項２３】
前記反転アダプタは、前記反転されたＤＶＢ−ＡＳＩ信号に接続される変圧器を備え、前記変圧器は、１次側及び２次側を有する、
請求項２２記載のシステム。
【請求項２４】
デジタルビデオブロードキャスト−非同期シリアルインタフェース（ＤＶＢ−ＡＳＩ）信号を処理するための方法であって、
ＤＶＢ−ＡＳＩ信号及び反転されたＤＶＢ−ＡＳＩ信号を生成するステップと、
前記反転されたＤＶＢ−ＡＳＩ信号を反転して、適合されたＤＶＢ−ＡＳＩ信号を生成するステップと、
を備える方法。
【請求項２５】
１次側と該１次側と等しい数の巻線を有する２次側とを有し、前記１次側と前記２次側のそれぞれが、１次側の負のコネクションと２次側の正のコネクションとがグランドに接続される正及び負のコネクションを有して、前記２次側の極性が前記１次側の極性とは反対である変圧器を備える反転アダプタを設けるステップと、
前記反転されたＤＶＢ−ＡＳＩ信号を前記１次側の前記正のコネクションに接続するステップとをさらに備え、
前記反転アダプタは、前記反転されたＤＶＢ−ＡＳＩ信号を反転して、適合されたＤＶＢ−ＡＳＩ信号を生成するステップを実行する、
請求項２４記載の方法。
【発明の詳細な説明】
【０００１】
［発明の分野］
本発明は、デジタルビデオに関し、より詳細には、デジタルビデオブロードキャスト（ＤＶＢ）非同期シリアルインタフェース（ＡＳＩ）向けの反転アダプタ及びシステムに関する。
【０００２】
［発明の背景］
デジタルビデオは、益々重要になってきている。一般に、デジタルビデオ信号を生成及び処理するときに、幾つものフォーマットが使用される場合がある。１つのかかるフォーマットは、シリアルデジタルビデオ（ＳＤＶ）フォーマットと呼ばれており、このフォーマットは、動画からの未処理のデジタルデータをシリアルにパッケージングする方法である。
【０００３】
たとえば、デジタルカメラは、ＳＤＶデータフォーマットを使用して、フィルムシーンからなる画像を生成することができる。Ｓｏｃｉｅｔｙ ｏｆ Ｍｏｔｉｏｎ Ｐｉｃｔｕｒｅ ａｎｄ Ｔｅｌｅｖｉｓｉｏｎ Ｅｎｇｉｎｅｅｒｓ （ＳＭＰＴＥ）の標準２５９Ｍ及び１２５Ｍのような、ＳＤＶに関連する様々な規格が存在する。これらの標準は、たとえば、データストリームに包含されるもの、データストリームの速度、データの符号化を統括する。
【０００４】
デジタルビデオを伝送するときに使用される別の有名なフォーマットは、デジタルビデオブロードキャスト−非同期シリアルインタフェース（ＤＶＢ−ＡＳＩ）である。このＤＶＢ−ＡＳＩは、以下の標準により統括される。Ｅｕｒｏｐｅａｎ Ｃｏｍｍｉｔｔｅｅ ｆｏｒ Ｅｌｅｃｔｒｉｃａｌ Ｓｔａｎｄａｒｄｉｚａｔｉｏｎ／Ｅｕｒｏｐｅａｎ Ｔｅｌｅｃｏｍｍｕｎｉｃａｔｉｏｎｓ Ｓｔａｎｄａｒｄｉｚａｔｉｏｎ Ｉｎｓｔｉｔｕｔｅ （ＣＥＮＥＬＥＣ／ＥＴＳＩ） ＥＮ５００８３−９ （１９９８） −ＤＶＢ−Ａ０１０， Ｉｎｔｅｒｆａｃｅｓ ｆｏｒ ＣＡＴＶ， “ＳＭＡＴＶ Ｈｅａｄｅｎｄｓ ａｎｄ Ｓｉｍｉｌａｒ Ｐｒｏｆｅｓｓｉｏｎａｌ Ｅｑｕｉｐｅｍｅｎｔ， Ａｎｎｅｘ Ｂ” 非同期シリアルインタフェース（ＡＳＩ）の開示は、参照により、本明細書に組込まれる。一般に、ＳＤＶフォーマットにおける画像は、たとえば、Ｍｏｔｉｏｎ Ｐｉｃｔｕｒｅ Ｅｘｐｅｒｔ Ｇｒｏｕｐ （ＭＰＥＧ） 圧縮標準を介して圧縮される。圧縮後、ＭＰＥＧデータストリームは、ＤＶＢ−ＡＳＩ標準に従い符号化される。
【０００５】
これらのデータストリームを使用した例示的なシステムは、図１に示されている。図１では、システム１００は、ＳＤＶソース１１０、ルーティングスイッチャ１２０、ＳＤＶ−ＭＰＥＧエンコーダ１３０、分配増幅器１４０、ＭＰＥＧ−ＳＤＶデコーダ１５０及び幾つかのレジスタを備えている。一般に、システム１００は、以下のように機能する。
【０００６】
ＳＤＶソース１１０は、デジタルテレビジョンカメラとすることができる。ＳＤＶソース１１０は、デジタルビデオを生成し、該デジタルビデオをＳＤＶフォーマットに符号化して、このデータストリームをルーティングスイッチャに送出する。エンコーダ１３０は、このＳＤＶデータストリームをＭＰＥＧデータストリームに反転する。このＭＰＥＧデータストリームもまた、ルーティングスイッチャ１２０又は別のルーティングスイッチャ（図示せず）を介してルーティングされる。
【０００７】
結果として生じるＤＶＢ−ＡＳＩ信号は、望むのであれば、分配増幅器１４０により増幅され、次いで、たとえば、表示又は記憶のためにデコーダ１５０に送出されて元のＳＤＶに反転される。分配増幅器１４０は、必要とされないが、システムには存在する場合がある。分配増幅器１４０とデコーダ１５０の間には、有線又は無線ネットワークのような任意のタイプのネットワークが存在することができる。特に、衛星伝送及び連続する受信は、一般にここで行われる。
【０００８】
ルーティングスイッチャ１２０は、プログラマブル相互接続装置である。かかる構成であるために、入力を出力に経路決定することができる。この例では、ルーティングスイッチャ１２０は、ＳＤＶソース１１０の出力をエンコーダ１３０の入力に接続し、エンコーダ１３０のＤＶＢ−ＡＳＩの出力を分配増幅器１４０の入力に接続する。
【０００９】
ルーティングスイッチャ１２０がＳＤＶソース１１０の出力を（分配増幅器１４０を介して）デコーダ１５０の入力に接続するようにプログラムすることもできる。しかし、デコーダ１５０がＳＤＶデータストリームではないＤＶＢ−ＡＳＩのようなＭＰＥＧストリームにより機能するために、このルーティングは無意味である。一般に、システム設計者は、信号がスイッチャを介して適切に経路決定されることを確保する必要がある。
【００１０】
スイッチャは、差動増幅器１７０への論理的なコネクションを提供するものとして考えられる場合がある。差動増幅器１７０は、真の出力と相補する出力とを供給する。図１の例では、一方の差動増幅器１７０がＳＤＶ出力及び反転されたＳＤＶ出力を有し、他方の差動増幅器１７０がＤＶＢ−ＡＳＩ出力及び反転されたＤＶＢ−ＡＳＩ出力を有する。
【００１１】
ＳＤＶフォーマット向けの標準により、反転信号及び非反転信号の両者を使用することができる。したがって、図１の例について、反転されたＳＤＡ信号は、別のＳＤＶ−ＭＰＥＧエンコーダ（図示せず）に進むことができる。しかし、ＤＶＢ−ＡＳＩフォーマットについての標準は、反転されたＤＶＢ−ＡＳＩ信号を使用することを可能にしていない。このため、反転されたＤＶＢ−ＡＳＩ信号は廃棄され、抵抗Ｒを介してグランド電位に接続されるか、又は別の同様な破壊装置に接続される。
【００１２】
図１のシステム１００が多くのアプリケーションについて効果的に実行する一方で、システム１００は、多数の非能率的な点を含んでいる。これが克服されれば、デジタルビデオシステムの性能を更に改善することができる。
【００１３】
特に、反転されたＤＶＢ−ＡＳＩ信号は抵抗Ｒを介してグランドに接続されるために、電力の損失及び増加される放出エミッションが存在する。反転されたＤＶＢ−ＡＳＩ信号における電力は抵抗Ｒにおける熱に本質的に変換され、これにより、電力が浪費される。
【００１４】
また、抵抗Ｒは、反転されたＤＶＢ−ＡＳＩ信号をグランドに接続するので、差動増幅器１７０に関して非対称な出力が存在する。両方の信号が相補的である場合、両信号が効果的に互いを相殺するために、低減された放出エミッションが行われる。
【００１５】
しかし、図１のシステムでは、信号の一方がグランドに送出され、高い放射エミッションが引き起こされる。したがって、図１のシステムは、理想よりも高い電力及び放出を引き起こす。したがって、これらの問題を低減又は取り除くシステム、また、比較的安価で簡単な構成であり、実現し易いシステムが必要とされる。
【００１６】
［発明の概要］
本発明は、デジタルビデオブロードキャスト−非同期シリアルインタフェース（ＤＶＢ−ＡＳＩ）システム及び装置を提供する。本発明の反転アダプタは、反転されたＤＶＢ−ＡＳＩ信号を反転して、適合されたＤＶＢ−ＡＳＩ信号を生成する。この適合されたＤＶＢ−ＡＳＩ信号は、任意のＤＶＢ−ＡＳＩ装置により使用される場合がある。１実施の形態では、反転アダプタは、１つの小さなパッケージに含むことができ、反転されたＤＶＢ−ＡＳＩ信号を生成する任意の様々な増幅装置に容易に接続することができる。代替的に、本発明の反転アダプタは、増幅装置と統合的に形成される場合があり、適合されたＤＶＢ−ＡＳＩ信号を自動的に適用することができる。
【００１７】
反転アダプタ及び該反転アダプタを使用したシステムにより、反転されたＤＶＢ−ＡＳＩ信号の使用が可能となる。したがって、電力及び放射エミッションが低減される。反転されたＤＶＢ−ＡＳＩ信号をグランドに接続して、この信号を浪費する代わりに、本発明は、この反転されたＤＶＢ−ＡＳＩ信号を再度反転して、適合されたＤＶＢ−ＡＳＩ信号を生成する。ここで、真のＤＶＢ−ＡＳＩ信号及び相補するＤＶＢ−ＡＳＩ信号はバランスされ、相補するので、これにより、放射エミッションを低下させることができる。さらに、反転アダプタは、簡単で使い易く、さらに非常に安価である。
【００１８】
［発明の実施の形態］
本発明の更に完全な理解は、本発明の更なる特徴及び利点とともに、以下の発明の実施の形態及び添付図面を参照することにより得られるであろう。
本発明は、反転アダプタ及び該反転アダプタを使用したシステムを提供する。本発明の反転アダプタは、反転されたＤＶＢ−ＡＳＩ信号を反転して、適合されたＤＶＢ−ＡＳＩ信号を生成する。
【００１９】
この適合されたＤＶＢ−ＡＳＩ信号は、任意のＤＶＢ−ＡＳＩ装置により使用される場合がある。反転アダプタは、１つの小さなパッケージに含むことができ、反転されたＤＶＢ−ＡＳＩ信号を生成する様々な増幅装置に容易に接続することができる。代替的に、本発明の反転アダプタは、増幅装置と統合的に形成される場合があり、適合されたＤＶＢ−ＡＳＩ信号を自動的に供給する。
【００２０】
反転アダプタは、反転されたＤＶＢ−ＡＳＩ信号を受け、適合されたＤＶＢ−ＡＳＩ信号を出力する変圧器を備えている。適合されたＤＶＢ−ＡＳＩ信号は、好ましくは、反転されたＤＶＢ−ＡＳＩ信号の反転されたバージョンである。本実施の形態で使用されるように、「反転」とは、“０１１１０”からなる反転されたＤＶＢ−ＡＳＩビットのそれぞれのビットが反対のバイナリ値に反転されることを意味する。
【００２１】
たとえば、０と１がそれぞれ２進値である、“０１１１０”からなる反転されたＤＶＢ−ＡＳＩビットのストリングは、本発明の反転アダプタにより“１０００１”に反転される。なお、それぞれのバイナリ値は、パルス符号変調、バイポーラシグナリング、デュオバイナリシグナリング又はマンチェスタシグナリングを介してのような多くのやり方で列挙される場合がある。
【００２２】
以下に更に詳細に説明されるように、デジタルビデオブロードキャスト−非同期シリアルインタフェース（ＤＶＢ−ＡＳＩ）信号、及びその反転された信号は、ゼロである直流（ＤＣ）周波数の周囲で情報を含まないようなやり方で符号化される。したがって、直流を結合しない変圧器を使用する反転アダプタのバージョンは、反転されたＤＶＢ−ＡＳＩ信号に影響を与えない。
変圧器の１次巻線と２次巻線は、１：１の比率で巻かれており、この比率は、増幅がないことを意味している。さらに、１次側及び２次側は、反対の極性であり、反転されたＤＶＢ−ＡＳＩ信号の反転を比較的容易にする。
【００２３】
本発明の１実施の形態では、反転アダプタは、自己包含型の、入力カップリング及び出力カップリングを有する金属製のアダプタに形成される。これにより、現在のデジタルビデオシステムに容易に配置することができ、非常に多くの量の無線周波（ＲＦ）シールドを含む。さらに、このようなやり方で形成される反転アダプタは、非常に安価であり、使い易い。
【００２４】
代替的に、ルーティングスイッチャ又は分配増幅器のような増幅装置に反転アダプタを追加することは可能である。「増幅装置」により、増幅が１よりも大きいことが必ずしも意味されない。増幅は、１又は１よりも小さい場合がある。反転アダプタをこれらの増幅装置に追加することは、最小のコストとなるが、反転増幅器は、増幅装置の内部にあるスペースを要し、増幅装置は、幾らかの再設計を必要とする。
【００２５】
本発明は、以下の利点を有する。反転アダプタ及び該反転アダプタを使用するシステムにより、反転されたＤＶＢ−ＡＳＩ信号の使用が可能となり、電力及び放射エミッションが低減される。反転されたＤＶＢ−ＡＳＩ信号をグランドに接続して、この信号を浪費する代わりに、本発明は、この信号を再び反転して、適合されたＤＶＢ−ＡＳＩ信号を作成する。ここで、真のＤＶＢ−ＡＳＩ信号と、相補するＤＶＢ−ＡＳＩ信号はバランスされ、相補するものであり、これにより、放射エミッションは低下される。さらに、反転されたＤＶＢ−ＡＳＩ信号が使用され、この使用により電力損失が低減される。最後に反転アダプタは、簡単で使い易く、非常に安価である。
【００２６】
図２を参照して、本発明によるデジタルビデオシステム２００が示されている。図２及び他の図では、同じ参照符号は類似の装置に対応している。システム２００は、シリアルデジタルビデオ（ＳＤＶ）ソース１１０、ルーティングスイッチャ１２０、ＳＤＶ−ＭＰＥＧエンコーダ１３０、分配増幅器１４０、ＭＰＥＧ−ＳＤＶデコーダ１５０、図３〜図５とともに以下に更に説明される２つのＤＶＢ−ＡＳＩ反転アダプタ３００、及び２つのＭＰＥＧ装置１７０を備えている。図２の例では、ルーティングスイッチャ１２０は、２つの差動増幅器１７０を備えている。
【００２７】
一般に、システム２００は、以下のように機能する。ＳＤＶ１１０は、たとえば、デジタルテレビジョンカメラとすることができる。このＳＤＶソースは、デジタルビデオを生成し、ビデオをＳＤＶフォーマットに反転して、このデータストリームをルーティングスイッチャ１２０に送出する。エンコーダ１３０は、このＳＤＶデータストリームを、ＤＶＢ−ＡＳＩとして符号化されるＭＰＥＧデータストリームに反転する。
【００２８】
このＤＶＢ−ＡＳＩ信号はまた、ルーティングスイッチャ１２０（又は、多分図示しない別のルーティングスイッチャ）を介してルーティングされる。結果として生じるＤＶＢ−ＡＳＩ信号は、必要であれば、分配増幅器１４０により増幅され、次いで、表示又は記憶のために元のＳＤＶに反転するためにデコーダ１５０に送出される。
【００２９】
分配増幅器１４０は、必要とされないが、あるシステムでは存在する場合がある。分配増幅器１４０とデコーダ１５０の間、又は、分配増幅器１４０が使用されない場合に、ルーティングスイッチャ１２０のＤＶＢ−ＡＳＩ出力とデコーダ１５０の入力の間には、有線又は無線ネットワークのような任意のタイプのネットワークが存在する場合がある。特に、衛星伝送及び連続受信は、このポイントで一般に行われる。
【００３０】
ルーティングスイッチャ１２０は、プログラマブルな相互接続装置である。かかるように、ルーティングスイッチャは、入力を出力に経路決定することができる。この例では、ルーティングスイッチャ１２０は、ＳＤＶソース１１０の出力をエンコーダ１３０の入力に接続し、エンコーダ１３０のＤＶＢ−ＡＳＩ出力を分配増幅器１４０の入力に接続する。
【００３１】
ＳＤＶソースの出力を（使用される場合、分配増幅器１４０を介して）デコーダ１５０の入力に接続するようにプログラムすることが可能である。しかし、デコーダ１５０はＳＤＶデータストリームではない、ＤＶＢ−ＡＳＩのようなＭＰＥＧデータストリームと機能するため、このルーティングは無意味である。一般に、システム設計者は、信号がスイッチャ１２０を介して適切に経路決定されていることを保証する必要がある。
【００３２】
スイッチャ１２０は、論理的なコネクションを提供するものとして考えられる場合がある。差動増幅器１７０は、真の出力と相補する出力とを供給する。図１の例では、一方の差動増幅器１７０は、ＳＤＶ出力及び反転されたＳＤＶ出力を有し、他方の差動増幅器１７０は、ＤＶＢ−ＡＳＩ出力及び反転されたＤＶＢ−ＡＳＩ出力を有する。
【００３３】
ＳＤＶフォーマット向けの標準は、反転信号と非反転信号の両者を使用することを可能にする。言い換えれば、信号は極性に依存しない。したがって、図１の例では、反転されたＳＤＡ信号は、別のＳＤＶ−ＭＰＥＧエンコーダ（図示せず）に送出することができる。
【００３４】
しかし、ＤＶＢ−ＡＳＩフォーマット向けの標準は、反転されたＤＶＢ−ＡＳＩ信号を使用することを可能にしない。言い換えれば、ＤＶＢ−ＡＳＩ信号は、極性に依存する。先に述べたように、図１の従来のシステムでは、反転されたＤＶＢ−ＡＳＩ信号は廃棄され、抵抗を介してグランドに接続されるか、又は他の類似の廃棄装置に接続される。
【００３５】
本発明のシステム２００では、反転されたＤＶＢ−ＡＳＩ信号は、使用のために適合される。本発明の反転アダプタ３００は、反転されたＤＶＢ−ＡＳＩ信号を再度反転するために使用される。したがって、これらの信号は使用されて、ＤＶＢ−ＡＳＩ装置１６０に印加される。これらＤＶＢ−ＡＳＩ装置は、任意のネットワーク又はＤＶＢ−ＡＳＩ信号を使用することができる他の装置とすることができる。
【００３６】
反転されたＤＶＢ−ＡＳＩ信号は、ＤＶＢ−ＡＳＩレコーダを介して記録することができる。これらの信号は、ＤＶＢ−ＡＳＩからＳＤＶへのデコーダを介して、元のＳＤＶフォーマットに反転することができる。反転されたＤＶＢ−ＡＳＩ信号は、衛星の上り回線又は他の送信機を介してのように送信することができる。これらの信号は、モニタに送出することができ、モニタはデータストリームを監視することができる。反転されたＤＶＢ−ＡＳＩ信号は、分配増幅器又は他のネットワークを介して分配することができる。このように、ＤＶＢ−ＡＳＩ装置１６０は、ＤＶＢ−ＡＳＩ信号に適した任意のタイプの装置又はネットワークとすることができる。
【００３７】
ルーティングスイッチャ１２０及び分配増幅器１４０は、増幅装置のタイプである。増幅装置は、真の出力と相補する出力とを生成する任意の装置である。一般に、差動増幅器は、電磁干渉（ＥＭＩ）を生成するために、増幅装置として使用される。差動増幅器は、高速であり、高いスイッチングスピードをサポートし、コモンモード信号を相殺する。
【００３８】
ルーティングスイッチャ１２０は、増幅機能よりはスイッチング機能の役割を一般に果たす。増幅は、通常約１：１の比率であり、この比率は、入力電力に対する出力電力（Ｐｉ：Ｐｏ）の形式である。分配増幅器１４０は、一般にスイッチング機能を実行しないが、信号の分割及び／又は信号の１：１の割合よりも大きな電力増加を行う。かかる比率は、１：１０又はそれ以上であり、出力が入力よりも電力において１０倍大きいことを意味する。
【００３９】
このように、図２は、反転されたＤＶＢ−ＡＳＩ信号を浪費する代わりに、本発明は、反転されたＤＶＢ−ＡＳＩ信号を再度使用することができる。反転アダプタ３００は、反転されたＤＶＢ−ＡＳＩ信号を再度反転して、適合された信号１９０を生成する。
【００４０】
図８を参照して更に詳細に説明されるように、適合されたＤＶＢ−ＡＳＩ信号は、ルーティングスイッチャ１２０の差動増幅器１７０により出力されるＤＶＢ−ＡＳＩ信号に正確に等しいか、又は該ＤＶＢ−ＡＳＩ信号に非常に近い。このことは、バランスされ、かつ対称的な差動増幅器１７０の出力を有するという利点を提供する。この利点は、ＲＦ放出を低減し、さらに、反転されたＤＶＢ−ＡＳＩがもはや廃棄されず、電力を損なわない。
【００４１】
図２では、反転アダプタ３００は、好ましくは、（ルーティングスイッチャ１２０及び分配増幅器１４０のような）増幅装置から分離されていることが好ましい。このタイプのシステム向けの適切なアダプタ３００は、図３に示されている。図４及び図５は、反転アダプタ３００の適切な内部の巻線を示している。
【００４２】
図３、図４及び図５を参照して、反転アダプタ３００は、金属製のボディ３２０及び２つのカップリング３１０，３３０を備えている。好ましくは、カップリング３１０は、入力カップリングであり、反転されたＤＶＢ−ＡＳＩ信号を受け、カップリング３３０は、出力カップリングであり、適合されたＤＶＢ−ＡＳＩ信号を生成する。
【００４３】
反転アダプタ３００は、簡単で小さく、非常に安価である。入力カップリング３１０は、ルーティングスイッチャ１２０のカップリング又は分配増幅器１４０に一般に接続される。出力カップリング３３０は、ＤＶＢ−ＡＳＩ信号を含むために適切なケーブルに一般に接続される。
【００４４】
カップリング３１０，３３０は、ルーティングスイッチャ、ケーブルネットワーク、分配増幅器、又はＤＶＢ−ＡＳＩ信号を搬送又は使用するのに適した他の装置に変圧器を接続するために適した任意のタイプのコネクションである。図４に示されるように、カップリング３１０は、シェル３１１及び相互接続装置３１２を好ましくは備えている。
【００４５】
カップリング３３０は、シェル３３１及び相互接続装置３３２を好ましくは備えている。シェル３１１及び３３１は、ボディ３２０に好ましくは電気的及び機械的に接続されている。これにより、強固なグランド接続が提供され、電磁干渉（ＥＭＩ）が低減される。相互接続装置は、つがいの一方とのカップリングを接続するために適した任意のコネクション装置である。
【００４６】
本発明の１実施の形態では、図３に示されるように、入力カップリング３１０は、ｍａｌｅ Ｂｒｉｔｉｓｈ Ｎａｖａｌ Ｃｏｎｎｅｃｔｏｒ（ＢＮＣ−Ｂａｙｏｎｅｔ Ｎｕｔ Ｃｏｎｎｅｃｔｏｒ又はＢａｙｏｎｅｔ Ｎｅｉｌｌ Ｃｏｎｃｅｌｍａｎとしても知られる）であり、出力カップリング３３０は、ｆｅｍａｌｅ ＢＮＣである。これらのカップリングについて、相互接続装置３３２はソケットであり、相互接続装置３１２はピンである。
【００４７】
ボディ３２０は、図４及び図５に示されるような１：１の変圧器を含んでいる。当該技術分野から知られるように、“１：１”とは、変圧器の１次側と２次側とが等しい数の巻線を有することを言及している。図４にける変圧器は、簡単であり、容易に注文される場合がある。当該技術分野から知られるように、変圧器のそれぞれの側は、極性を有している。
【００４８】
図４では、２次側の極性は、１次側の極性と反対であり、この逆も然りである。特に、図４では、１次側の負のコネクションと、２次側の正のコネクションとがグランド接続されている。１次側の負のコネクションは、ＢＮＣカップリングについてピンである相互接続装置３１２に接続されている。２次側の負のコネクションは、ＢＮＣカップリングについてピンを受けるために適したソケットである相互接続装置３３２に接続されている。
【００４９】
本発明との使用向けに適した変圧器は、約１０ＭＨｚ〜２７０ＭＨｚの周波数レンジを有するＲＦ変圧器であるべきである。かかる変圧器を有する反転アダプタ３００は、ＢＮＣカップリングを金属性のシリンダ又はボックスに螺旋巻又は圧入れすることにより作製することができる。特に、Ｍｉｎｉ−Ｃｉｒｃｕｉｔｓ（Ｐ．Ｏ．Ｂｏｘ３５０１６６，Ｂｒｏｏｋｌｙｎ，Ｎｅｗ Ｙｏｒｋ， １１２３５−００３）と呼ばれる会社は、型式ＦＴＢ１−１−７５の変圧器を製造しており、小さな矩形ボックスに配置される。
【００５０】
この変圧器は、０．２〜５００ＭＨｚまでの３ｄＢ周波数、入力及び出力のための２つのＦｅｍａｌｅ ＢＮＣコネクタ、及び１：１の１次側と２次側の比を有している。しかし、この変圧器は、入力信号を反転しない。したがって、配線又は回路を変更又は追加することなしに、本発明との使用向けに適している。しかし、作製において使用される技術は、本発明との使用向けに適した反転アダプタを製造するために使用される場合がある。さらに、Ｍｉｎｉ−Ｃｉｒｃｕｉｔｓは、本発明の実施の形態との使用向けに適した各種表面実装及び挿入実装による変圧器を製造している。
【００５１】
別の配線方法は、図５において示されている。このバージョンでは、２次側の正のコネクション及び１次側の負のコネクションがグランドに接続される。また、１次側の正のコネクションは、相互接続装置３１２に接続されており、２次側の負のコネクションは、相互接続装置３３２に接続されている。
【００５２】
したがって、図２〜図５は、本発明による反転アダプタがＥＭＩを除去し、非常に安価であって、非常に簡単であることを示している。さらに、反転アダプタを使用したシステムは少ない電力を使用して、少ないＥＭＩを生成することを示している。
【００５３】
ここで図６を参照して、図６は、デジタルテレビジョン向けの別の好適なシステム６００を示している。図２のシステムでは、反転アダプタは、既に既存のデジタルビデオシステムについて理想的である増幅装置から分離されている。しかし、反転アダプタの機能を含むべきシステムについて、設計者がこの機能を含むことを選択した場合には、図６のシステムが使用される場合がある。図６における装置の殆どは、図２を参照して既に説明されてきており、ここでは、異なる部分のみを説明する。
【００５４】
図６の例では、反転アダプタ４１０（図４及び図５参照）は、増幅装置の一部として直接追加される。特に、反転アダプタ４１０は、ルーティングスイッチャ１２０における差動増幅器１７０の相補する出力に加えられる。このように、ルーティングスイッチャ１２０は、ＤＶＢ−ＡＳＩ信号及び適合されたＤＶＢ−ＡＳＩ信号を生成する。この適合されたＤＶＢ−ＡＳＩ信号は、ＤＶＢ−ＡＳＩ信号に殆ど近い。
【００５５】
さらに、反転アダプタ４１０は、分配増幅器１４０に追加され、ＤＶＢ−ＡＳＩ信号及び適合されたＤＶＢ−ＡＳＩ信号の両者を生成する。図６に示されるように、反転アダプタ４１０（図４及び図５）は、ルーティングスイッチャ１２０又は分配増幅器１４０のような増幅装置に直接“配線される”場合がある。
【００５６】
図７を参照して、Ｓｏｃｉｅｔｙ ｏｆ Ｍｏｔｉｏｎ Ｐｉｃｔｕｒｅ ａｎｄ Ｔｅｌｅｖｉｓｉｏｎ Ｅｎｇｉｎｅｅｒｓ （ＳＭＰＴＥ）の標準２５９Ｍによるシリアルデジタルビデオ信号の周波数のスペクトルが示されている。ＳＤＶ信号は、ＮＲＺＩ（Ｎｏｎ−Ｒｅｔｕｒｎ−ｔｏ−Ｚｅｒｏ Ｉｎｖｅｒｔｅｄ）信号である。この図に示されるように、ＳＤＶスペクトルは、ＤＣで大きな振幅を含むことができる。この振幅は、本発明の反転アダプタ３００又は４１０によりフィルタリングされる。
【００５７】
ＳＤＶ信号は、反転アダプタを介して偶然に経路決定されるべきである。実際に、ＳＭＰＴＥ２５９ＭによるＳＤＶ信号もまた、変圧器を通過して、有効であると考慮される。ＮＲＺＩからのスクランブル及び反転は、ＤＣ成分及び極性の感度を「最小」にするために、意図的に行われる。しかし、ＳＤＶは、反転アダプタを通過しないことが薦められる。
【００５８】
図８を参照して、デジタルビデオブロードキャスト−非同期シリアルインタフェース（ＤＶＢ−ＡＳＩ）信号が示されている。図８において見ることができるように、ＤＶＢ−ＡＳＩスペクトルは、１つの特定の搬送波周波数の周辺に集中され、ＤＣ付近には成分が殆ど存在しない。このために、（ＤＶＢ−ＡＳＩ信号と同じスペクトルを有するべき）反転されたＤＶＢ−ＡＳＩ信号は、反転アダプタ３００又は４００を介して、（反転される以外に）変換することなしに通過される。先に説明したように、本発明との使用向けに適した変圧器は、１０ＭＨｚ〜２７０ＭＨｚまでを典型的にカバーする周波数応答レンジを有する。
【００５９】
したがって、図示されてきたものは、システムにおける増幅装置から分離することができ、これらの装置に統合することができる反転アダプタである。この反転アダプタは、反転されたＤＶＢ−ＡＳＩ信号を反転して、ＤＶＢ−ＡＳＩ信号と同じ情報及び極性を正確に含むはずである、適合されたＤＶＢ−ＡＳＩ信号を生成する。反転アダプタは、簡単で安価であり、使い易い。
【００６０】
なお、請求項における節「〜に適合される」は、「手段プラス機能」の限定として解釈されるべきではなく、請求項における節「これにより」は、単に動作を記載するものであり、限定されるものではない。
本明細書で図示及び記載された実施の形態及びその変形例は、本発明の原理を単に例示するものであり、本発明の範囲及び精神から逸脱することなしに、様々な変更が当業者により実現されることが理解されるべきである。たとえば、変圧器における巻線は、１：１の比率から、１：１．２、１：２又は１：０．８の比率等に変化する場合がある。
【図面の簡単な説明】
【図１】
従来のデジタルビデオテレビジョンシステムを説明するブロック図である。
【図２】
本発明の好適な実施の形態によるデジタルテレビジョンシステムを説明するブロック図である。
【図３】
本発明の最も好適な反転アダプタについてのパッケージを説明する図である。
【図４】
本発明の反転アダプタについての好適な配線を説明する回路図である。
【図５】
本発明の反転アダプタについての好適な配線を説明する回路図である。
【図６】
本発明の好適な実施の形態によるデジタルテレビジョンシステムを説明するブロック図である。
【図７】
本発明のシリアルデジタルビデオのスペクトル図である。
【図８】
本発明のデジタルビデオブロードキャスト−非同期シリアルインタフェース信号のスペクトル図である。
【図１】
2004517533.tif 000003
【図２】
2004517533.tif 000004
【図４】
2004517533.tif 000005
【図５】
2004517533.tif 000006
【図６】
2004517533.tif 000007
【図７】
2004517533.tif 000008
【図８】
2004517533.tif 000009
【国際公開パンフレット】
2004517533.tif 000010
2004517533.tif 000011
2004517533.tif 000012
2004517533.tif 000013
2004517533.tif 000014
2004517533.tif 000015
2004517533.tif 000016
2004517533.tif 000017
2004517533.tif 000018
2004517533.tif 000019
2004517533.tif 000020
2004517533.tif 000021
2004517533.tif 000022
2004517533.tif 000023
2004517533.tif 000024
2004517533.tif 000025
2004517533.tif 000026
2004517533.tif 000027
2004517533.tif 000028
2004517533.tif 000029
2004517533.tif 000030
【国際公開パンフレット（コレクトバージョン）】
2004517533.tif 000031
【国際調査報告】
2004517533.tif 000032
2004517533.tif 000033